(57)【要約】【課題】装着状態において一定の荷重で電極が被験者の腹部に対して再現性よく押し付けられるようにすることができる生体インピーダンス測定用腹部装着ユニットを提供する。【解決手段】生体インピーダンス測定用腹部装着ユニット１１０Ａは、装着状態において被験者の腹部に接触配置される複数の電極１２２と、この複数の電極１２２を支持する長尺状の帯状部材とを備える。長尺状の帯状部材は、その長尺方向において実質的に伸縮性を有さない電極支持部材１２０および第２ベルト部材１３５と、その長尺方向において伸縮性を有する第１ベルト部材１３０と、当該帯状部材を任意の巻き付け長さで被験者の腹部に巻き付け固定する面ファスナ１３３，１３８とを含む。第１ベルト部材１３０には、当該第１ベルト部材１３０の伸長に応じてそれ自体が変形することによって第１ベルト部材１３０の引張状態を示すマーク１３４ａが視認可能に設けられている。【選択図】図４
2008228996.tif 000002
【特許請求の範囲】
【請求項１】
生体インピーダンスを測定するために被験者の身体の一部に装着される生体インピーダンス測定用装着ユニットであって、
装着状態において被験者の身体の一部に接触配置される複数の電極と、
前記複数の電極を支持するとともに装着状態において被験者の身体の一部に巻き回される長尺状の帯状部材と、
前記帯状部材が被験者の身体の一部に巻き回された状態において前記帯状部材の巻き付け長さを任意の長さに維持するとともに前記帯状部材を被験者の身体の一部に固定する固定手段とを備え、
前記帯状部材は、長尺方向に伸縮性を有する伸縮領域と、長尺方向に伸縮性を有さない非伸縮領域とを含み、
前記伸縮領域の長尺方向における引張状態を示す指標が、前記帯状部材に視認可能に設けられている、生体インピーダンス測定用装着ユニット。
【請求項２】
前記複数の電極は、前記非伸縮領域によって支持されている、請求項１に記載の生体インピーダンス測定用装着ユニット。
【請求項３】
前記指標は、前記伸縮領域に設けられ、前記伸縮領域の伸縮に応じて当該指標自体が変形することによって前記引張状態を示すものである、請求項１または２に記載の生体インピーダンス測定用装着ユニット。
【請求項４】
前記指標は、前記伸縮領域に設けられたマークからなる、請求項３に記載の生体インピーダンス測定用装着ユニット。
【請求項５】
前記指標は、前記伸縮領域に穿たれた穴からなる、請求項３に記載の生体インピーダンス測定用装着ユニット。
【請求項６】
前記帯状部材は、前記伸縮領域の一部と前記非伸縮領域の一部とが重なり合う重なり領域をさらに含み、
前記指標は、前記伸縮領域の前記重なり領域に相当する部分に設けられた第１の指標と、前記非伸縮領域の前記重なり領域に相当する部分に設けられた第２の指標とを含み、前記伸縮領域の伸縮に応じて前記第１の指標が移動することにより前記第１の指標と前記第２の指標との間の距離が変化することによって前記引張状態を示すものである、請求項１または２に記載の生体インピーダンス測定用装着ユニット。
【請求項７】
前記第１の指標は、前記伸縮領域に設けられたマークからなり、
前記第２の指標は、前記非伸縮領域に設けられたマークからなる、請求項６に記載の生体インピーダンス測定用装着ユニット。
【請求項８】
前記第１の指標は、前記伸縮領域に穿たれた穴からなり、
前記第２の指標は、前記非伸縮領域に設けられたマークからなる、請求項６に記載の生体インピーダンス測定用装着ユニット。
【発明の詳細な説明】
【技術分野】
【０００１】
本発明は、生体インピーダンスを測定するために被験者の胴部や四肢に巻き回されて装着される生体インピーダンス測定用装着ユニットに関する。
【背景技術】
【０００２】
近年、被験者の健康状態を知る一つの指標として、体脂肪量が注目されている。特に、内臓脂肪量は、内臓脂肪型肥満であるか否かの判断を行なうための指標として注目されている。この内臓脂肪型肥満は、糖尿病、高血圧症、高脂血症といった動脈硬化を引き起こし易い生活習慣病を誘発すると言われており、これら疾病の予防の観点から上記指標の活用が期待されている。ここで、内臓脂肪とは、腹筋の内側において内臓の周囲に蓄積した脂肪のことであり、腹部の表層に蓄積する皮下脂肪と区別されるものである。なお、内臓脂肪量を示す指標としては、臍位置に対応する部分の腹部断面において内臓脂肪が占める面積（以下、内臓脂肪面積と称する）を採用することが一般的である。
【０００３】
通常、内臓脂肪量を測定するためには、Ｘ線ＣＴ（computed tomography)あるいはＭＲＩ（magnetic resonance imaging）を用いて撮影された腹部の断層画像を用いた画像解析法が採用されている。この画像解析法においては、取得した腹部の断層画像から内臓脂肪面積が算出される。しかしながら、このような手法を用いるためには、上記Ｘ線ＣＴやＭＲＩ等、医療施設に設置される如くの大型の設備が必要であり、日常的に内臓脂肪量を測定することは非常に困難である。また、Ｘ線ＣＴを利用した場合には被爆の問題もあり、好ましい測定方法とは必ずしも言えない。
【０００４】
これに代わる測定方法として、生体インピーダンス法を応用することが検討されている。生体インピーダンス法は、家庭用の体脂肪測定装置において広く利用されている体脂肪量の測定方法であり、四肢に電極を接触させ、これら電極を用いて生体インピーダンスを測定することにより、測定された生体インピーダンスから体脂肪量を算出するものである。上述の体脂肪測定装置は、全身または四肢、胴部といった身体の部位別の体脂肪の蓄積度合いを正確に測定できるものであり、広く普及している。
【０００５】
しかしながら、従来の体脂肪測定装置は、全身または四肢、胴部といった身体の部位別の体脂肪の蓄積度合いを測定するためのものであり、内臓脂肪の蓄積度合いのみを抽出して正確に測定できるものではない。これは、上述したように、胴部には内臓脂肪のみならず皮下脂肪も含まれるためであり、そのため内臓脂肪量や皮下脂肪量を個別に精度よく測定することは、上述の体脂肪測定装置においては困難であった。
【０００６】
そこで、このような問題を解決するために、直接胴部に電極を接触させ、当該電極を用いて生体インピーダンスを測定し、これに基づいて内臓脂肪量や皮下脂肪量を個別に精度よく測定することが検討されている。たとえば、特開２００２−３６９８０６号公報（特許文献１）には、ベルト部材の内周面上に電極を設け、当該ベルト部材を胴部に巻き回して固定することにより、電極が胴部に対して接触配置されるように構成された体脂肪測定装置が開示されている。また、特開２００６−６１６７７号公報（特許文献２）には、アーム状の部材の内周面上に電極を設け、当該アーム状の部材を胴部に直接押し当てることにより、電極が胴部に対して接触配置されるように構成された体脂肪測定装置が開示されている。これら特許文献１または２に開示の体脂肪測定装置においては、被験者の胴部に生体インピーダンス測定用装着ユニットを用いて直接電極を接触させ、この胴部に接触させた電極を利用して生体インピーダンスを測定することにより、従来においては困難であった高精度の内臓脂肪量や皮下脂肪量の測定を可能にしようとしている。
【特許文献１】特開２００２−３６９８０６号公報
【特許文献２】特開２００６−６１６７７号公報
【発明の開示】
【発明が解決しようとする課題】
【０００７】
ところで、上述の生体インピーダンス法を用いて生体インピーダンスを測定する場合には、被験者の身体の一部に直接電極を接触させて測定を行なうため、電極の体表面に対する押し付け強さを測定の度毎に一定に安定的に保つことが重要になる。しかしながら、被験者の身体の形状や大きさは人によってまちまちであり、これを実現することは容易なことではない。
【０００８】
たとえば、上記特許文献１に開示の生体インピーダンス測定用装着ユニットにおいては、ベルト部材の胴部への装着作業が人手に委ねられているため、ベルト部材の巻き付け強さが装着の度毎に異なるものとなってしまい、その結果、電極の体表面に対する押し付け強さも装着の度毎に異なるものとなってしまう。また、上記特許文献２に開示の生体インピーダンス測定用装着ユニットにおいては、そのアーム状の部材の胴部への押し付け作業が人手に委ねられているため、その押し付け強さが装着の度毎に異なるものとなってしまい、その結果、電極の体表面に対する押し付け強さも装着の度毎に異なるものとなってしまう。
【０００９】
このような電極の体表面に対する押し付け強さにばらつきが生じた場合には、そのばらつきが電極と体表面との間の接触抵抗のばらつきとなって現れ、測定精度を低下させてしまうという問題がある。したがって、生体インピーダンス測定用装着ユニットとしては、測定の度毎に被験者の別を問わず常に一定の荷重で安定的に電極が被験者の体表面に押し当て可能となるように構成されていることが非常に重要である。
【００１０】
そこで、本発明は、上述の問題を解決すべくなされたものであり、装着状態において一定の荷重で電極が被験者の体表面に対して再現性よく押し付け可能な生体インピーダンス測定用装着ユニットを提供することを目的とする。
【課題を解決するための手段】
【００１１】
本発明に基づく生体インピーダンス測定用装着ユニットは、生体インピーダンスを測定するために被験者の身体の一部に装着されるものであって、装着状態において被験者の身体の一部に接触配置される複数の電極と、上記複数の電極を支持するとともに装着状態において被験者の身体の一部に巻き回される長尺状の帯状部材と、上記帯状部材が被験者の身体の一部に巻き回された状態において上記帯状部材の巻き付け長さを任意の長さに維持するとともに上記帯状部材を被験者の身体の一部に固定する固定手段とを備えている。上記帯状部材は、長尺方向に伸縮性を有する伸縮領域と、長尺方向に伸縮性を有さない非伸縮領域とを含んでいる。上記帯状部材には、上記伸縮領域の長尺方向における引張状態を示す指標が視認可能に設けられている。なお、ここで言う「伸縮性を有さない」とは、帯状部材が通常想定される巻き付け強さで被験者の身体の一部に巻き付けられる範囲内において実質的に伸縮性を有さないことを意味するものであり、厳密な意味において伸縮性を全く有さないことまでをも意味するものではない。
【００１２】
このように構成することにより、帯状部材を身体の所定部位に巻き回して固定するにあたり、帯状部材の伸縮領域の長尺方向における引張状態を示す指標を確認しつつ帯状部材の巻き付け長さを調節して帯状部材を当該身体の所定部位に装着することができる。そのため、帯状部材の伸縮領域の引張状態が予め定められた状態となるように調節して帯状部材を装着することにより、装着の度毎に帯状部材の巻き付け強さを一定の強さに安定的に保つことができるようになる。したがって、装着状態において一定の荷重で電極が被験者の体表面に対して再現性よく押し付け可能な生体インピーダンス測定用装着ユニットとすることができる。
【００１３】
上記本発明に基づく生体インピーダンス測定用装着ユニットにあっては、上記複数の電極が上記非伸縮領域によって支持されていることが好ましい。
【００１４】
このように構成することにより、装着状態において複数の電極の間の距離を一定に保つことができるため、安定した生体インピーダンスの測定が可能になる。
【００１５】
上記本発明に基づく生体インピーダンス測定用装着ユニットにあっては、上記指標が上記伸縮領域に設けられていることが好ましい。その場合には、上記指標は、上記伸縮領域の伸縮に応じて当該指標自体が変形することによって上記引張状態を示すものであることが好ましい。
【００１６】
このように、帯状部材の伸縮領域の引張状態を示す指標としては、伸縮領域の伸縮に応じてそれ自体が変形することによって引張状態を示すものを採用することが可能である。このようにすれば、帯状部材を身体の所定部位に巻き回して固定するにあたり容易に確認可能な指標とすることができる。
【００１７】
上記本発明に基づく生体インピーダンス測定用装着ユニットにあっては、上記指標が上記伸縮領域に設けられたマークにて構成されていることが好ましい。
【００１８】
このように構成することにより、帯状部材の伸縮領域の伸縮に応じてそれ自体が変形することによって引張状態を示す指標を容易に帯状部材に設けることができる。
【００１９】
上記本発明に基づく生体インピーダンス測定用装着ユニットにあっては、上記指標が上記伸縮領域に穿たれた穴にて構成されていることが好ましい。
【００２０】
このように構成することにより、帯状部材の伸縮領域の伸縮に応じてそれ自体が変形することによって引張状態を示す指標を容易に帯状部材に設けることができる。
【００２１】
上記本発明に基づく生体インピーダンス測定用装着ユニットにあっては、上記帯状部材が上記伸縮領域の一部と上記非伸縮領域の一部とが重なり合う重なり領域をさらに含んでいてもよい。その場合には、上記指標は、上記伸縮領域の上記重なり領域に相当する部分に設けられた第１の指標と上記非伸縮領域の上記重なり領域に相当する部分に設けられた第２の指標とを含んでいることが好ましく、また上記指標は、上記伸縮領域の伸縮に応じて上記第１の指標が移動することにより上記第１の指標と上記第２の指標との間の距離が変化することによって上記引張状態を示すものであることが好ましい。
【００２２】
このように、帯状部材の伸縮領域の引張状態を示す指標としては、伸縮領域の伸縮に応じて移動する第１の指標と伸縮領域の伸縮に応じて移動しない第２の指標との間の距離が変化することによって上記引張状態を示すように構成されたものを採用することが可能である。このようにすれば、帯状部材を身体の所定部位に巻き回して固定するにあたり容易に確認可能な指標とすることができる。
【００２３】
上記本発明に基づく生体インピーダンス測定用装着ユニットにあっては、上記第１の指標が上記伸縮領域に設けられたマークにて構成されていることが好ましく、その場合に、上記第２の指標も上記非伸縮領域に設けられたマークにて構成されていることが好ましい。
【００２４】
このように構成することにより、帯状部材の伸縮領域の伸縮に応じて移動する第１の指標と帯状部材の伸縮領域の伸縮に応じて移動しない第２の指標との間の距離が変化することによって上記引張状態を示すように構成された指標を容易に帯状部材に設けることができる。
【００２５】
上記本発明に基づく生体インピーダンス測定用装着ユニットにあっては、上記第１の指標が上記伸縮領域に穿たれた穴にて構成されていることが好ましく、その場合に、上記第２の指標が上記非伸縮領域に設けられたマークにて構成されていることが好ましい。
【００２６】
このように構成することにより、帯状部材の伸縮領域の伸縮に応じて移動する第１の指標と帯状部材の伸縮領域の伸縮に応じて移動しない第２の指標との間の距離が変化することによって上記引張状態を示すように構成された指標を容易に帯状部材に設けることができる。
【発明の効果】
【００２７】
本発明によれば、装着状態において一定の荷重で電極が被験者の体表面に対して再現性よく押し付け可能な生体インピーダンス測定用装着ユニットとすることができるため、高精度に生体インピーダンスを測定することが可能になる。
【発明を実施するための最良の形態】
【００２８】
以下、本発明の実施の形態について、図を参照して詳細に説明する。以下に示す各実施の形態においては、本発明が適用された生体インピーダンス測定用装着ユニットとして、被験者の胴部（腹部）に装着されることが企図されたものを例示して説明を行なう。そのため、以下に示す各実施の形態においては、本発明が適用された生体インピーダンス測定用装着ユニットを特に「生体インピーダンス測定用腹部装着ユニット」と称する。
【００２９】
（実施の形態１）
まず、本発明の実施の形態１における生体インピーダンス測定用腹部装着ユニットついて説明するに先立ち、身体の部位を表す各種用語の定義を行なうとともに、本発明の実施の形態における生体インピーダンス測定用腹部装着ユニットを含む体脂肪測定装置について説明を行なう。
【００３０】
＜身体の部位を表す各種用語の定義＞
以下において身体の部位を表す各種用語の定義を行なう。「胴部」とは、身体の頭部、頸部および四肢を除く部分であり、胸部と腹部とを含むいわゆる体幹部に相当する部分である。「腹部」とは、胴部を頸部側に位置する部分（すなわち胸部）と下肢側に位置する部分とに分けたうちの下肢側に位置する部分であり、腹部前面と腹部背面とを含む。「腹部前面」とは、被験者の腹部の表面のうち、被験者を正面側から観察した場合に視認可能な部分の体表面を言う。「腹部背面」とは、被験者の腹部の表面のうち、被験者を背面側から観察した場合に視認可能な部分の体表面を言う。「腹部より離れた部位」とは、上腕、前腕、手首および手指からなる上肢と、横隔膜が位置する部分より所定の距離（たとえば略１０ｃｍ）以上離れた胸部と、頸部および頭部と、大腿、下腿、足首および足指からなる下肢とを含む。また、「体軸」とは、被験者の腹部の横断面に対し略垂直方向に延びる軸を言う。
【００３１】
＜体脂肪測定装置＞
次に、本実施の形態における生体インピーダンス測定用腹部装着ユニットを含む体脂肪測定装置について説明を行なう。以下に示す体脂肪測定装置は、内臓脂肪量のみならず、全身の脂肪量や身体の特定の部位別の脂肪量（上肢、下肢それぞれの脂肪量や胴部（体幹部）の脂肪量、腹部における皮下脂肪量等）を測定することが可能に構成された体脂肪測定装置である。
【００３２】
＜体脂肪測定装置の機能ブロック＞
まず、体脂肪測定装置の機能ブロックの構成について説明する。図１は、生体インピーダンス測定用腹部装着ユニットを含む体脂肪測定装置の機能ブロックの一例を示す図である。
【００３３】
図１に示すように、体脂肪測定装置１は、制御部１０と、定電流生成部２１と、端子切替部２２と、電位差検出部２３と、体格情報計測部２４と、被験者情報入力部２５と、表示部２６と、操作部２７と、電源部２８と、メモリ部２９と、身体に装着される複数の電極Ａ１１，Ａ１２，Ａ２１，Ａ２２，Ｈ１１，Ｈ１２，Ｈ２１，Ｈ２２，Ｆ１１，Ｆ１２，Ｆ２１，Ｆ２２とを主として備えている。制御部１０は、演算処理部１１を含んでいる。演算処理部１１は、インピーダンス算出部１２と、各種脂肪量算出部１３とを有しており、各種脂肪量算出部１３は、たとえば体脂肪量算出部１４、部位別脂肪量算出部１５、内臓脂肪量算出部１６および皮下脂肪量算出部１７を含んでいる。
【００３４】
制御部１０は、たとえばＣＰＵ（central processor unit）によって構成され、体脂肪測定装置１の全体的な制御を行なう。具体的には、制御部１０は、上述した各種機能ブロックに対して指令を送出したり、得られた情報に基づいて各種の演算処理を行なったりする。このうち各種の演算処理については、上述の制御部１０に設けられた演算処理部１１によって行なわれる。
【００３５】
上記複数の電極は、被験者の腹部に装着される腹部電極Ａ１１，Ａ１２，Ａ２１，Ａ２２と、被験者の上肢に装着される上肢電極Ｈ１１，Ｈ１２，Ｈ２１，Ｈ２２と、被験者の下肢に装着される下肢電極Ｆ１１，Ｆ１２，Ｆ２１，Ｆ２２とを含んでいる。
【００３６】
腹部電極Ａ１１，Ａ１２，Ａ２１，Ａ２２は、それぞれの電極が体軸方向に沿って整列した状態で被験者の腹部の表面に装着される。腹部電極Ａ１１，Ａ１２，Ａ２１，Ａ２２は、被験者の腹部前面に装着されてもよいし、被験者の腹部背面に装着されてもよい。また、上記４つの腹部電極Ａ１１，Ａ１２，Ａ２１，Ａ２２を１組とする腹部電極群が互いに平行に複数組、腹部に装着される構成としてもよい。その場合には、すべての組の腹部電極群が腹部前面あるいは腹部背面のいずれか一方にのみ装着されるように構成してもよいし、一部の組の腹部電極群が腹部前面に、残りの組の腹部電極群が腹部背面に装着されるように構成してもよい。
【００３７】
上肢電極Ｈ１１，Ｈ１２，Ｈ２１，Ｈ２２は、被験者の腹部から離れた部位に相当する上肢のいずれかの部位に装着されるものであり、好適には右手の手首の表面と左手の手首の表面とにそれぞれ一対ずつ装着される。下肢電極Ｆ１１，Ｆ１２，Ｆ２１，Ｆ２２は、被験者の腹部から離れた部位に相当する下肢のいずれかの部位に装着されるものであり、好適には右足の足首の表面と左足の足首の表面とにそれぞれ一対ずつ装着される。上記した腹部電極Ａ１１，Ａ１２，Ａ２１，Ａ２２、上肢電極Ｈ１１，Ｈ１２，Ｈ２１，Ｈ２２、および下肢電極Ｆ１１，Ｆ１２，Ｆ２１，Ｆ２２は、それぞれ端子切替部２２に電気的に接続されている。
【００３８】
端子切替部２２は、たとえばリレー回路によって構成され、制御部１０から入力される指令に基づき、上述した複数の電極のうちから選択した特定の電極と定電流生成部２１とを電気的に接続するとともに、上述した複数の電極のうちから選択した特定の電極と電位差検出部２３とを電気的に接続する。これにより、端子切替部２２によって定電流生成部２１に電気的に接続された電極が定電流印加電極として機能するようになり、また端子切替部２２によって電位差検出部２３に電気的に接続された電極が電位差検出電極として機能するようになる。上記端子切替部２２による電気的な接続は、測定動作中において種々切替えられる。なお、通常、定電流印加電極と電位差検出電極とは、それぞれ一対の電極によって構成されるが、ここで言う一対の電極のそれぞれには、単数の電極または複数の電極の両者が含まれる。すなわち、別個独立して設けられた電極であっても電気的に等価に扱うことにより、一対の電極のそれぞれを構成する場合がある。
【００３９】
定電流生成部２１は、制御部１０から入力される指令に基づいて定電流を生成し、生成した定電流を端子切替部２２を介して上述の定電流印加電極に供給する。定電流生成部２１において生成される定電流としては、体組成情報を測定するために好適に使用される高周波電流（たとえば、５０ｋＨｚ，５００μＡ）が選択される。これにより、定電流印加電極を介して定電流が被験者に印加されることになる。
【００４０】
電位差検出部２３は、端子切替部２２によって電位差検出部２３に電気的に接続された電極（すなわち電位差検出電極）間における電位差を検出し、検出した電位差を制御部１０に対して出力する。これにより、上述した定電流が被験者に印加された状態における電位差検出電極間の電位差が検出されることになる。
【００４１】
体格情報計測部２４および被験者情報入力部２５は、演算処理部１１に含まれる各種脂肪量算出部１３において行なわれる演算処理に利用される被験者情報を得るための部位である。ここで、「被験者情報」とは、被験者に関する情報を意味し、たとえば年齢や性別あるいは体格情報等の情報のうちの少なくとも１つを含む。また、「体格情報」とは、被験者の身体の特定の部位におけるサイズに関する情報（たとえば、ウエスト長（腹部周長）や腹部横幅、腹部厚み、身長等のうちの少なくとも１つを含む情報）や体重等の情報を含む。体格情報計測部２４は、被験者の体格情報を自動計測する部位であり、検出された体格情報を制御部１０に対して出力する。一方、被験者情報入力部２５は、被験者情報を入力するための部位であり、入力された被験者情報を制御部１０に対して出力する。
【００４２】
なお、図１に示される機能ブロック図においては、体格情報計測部２４および被験者情報入力部２５の両方が体脂肪測定装置１に設けられた場合を例示しているが、これら体格情報計測部２４および被験者情報入力部２５は、いずれも必須の構成となるものではない。体格情報計測部２４および／または被験者情報入力部２５を設けるか否かについては、制御部１０の演算処理部１１において行なわれる演算処理に利用される被験者情報の種類に基づいて適宜選択される。また、上述の被験者情報のうち、体格情報については、体格情報計測部２４を用いて自動計測し、その計測データを利用するように構成してもよいし、体格情報計測部２４を設けずに被験者情報入力部２５において被験者自らが情報を入力し、当該入力データを利用する構成としてもよい。
【００４３】
演算処理部１１は、上述したようにインピーダンス算出部１２と各種脂肪量算出部１３とを含んでいる。インピーダンス算出部１２は、上述した定電流生成部２１によって生成された定電流の電流値と、上述した電位差検出部２３において検出されて制御部１０に入力された電位差情報とに基づいて各種の生体インピーダンスを算出する。各種脂肪量算出部１３は、上記インピーダンス算出部において得られた生体インピーダンスと、体格情報計測部２４および／または被験者情報入力部２５から入力された被験者情報とに基づいて各種脂肪量を算出する。各種脂肪量算出部１３は、たとえば被験者の全身の体脂肪量を算出する体脂肪量算出部１４、被験者の身体の特定部位別の脂肪量を算出する部位別脂肪量算出部１５、被験者の内臓脂肪量を算出する内臓脂肪量算出部１６および被験者の腹部における皮下脂肪量を算出する皮下脂肪量算出部１７の少なくとも１つを含む。
【００４４】
表示部２６は、上述の各種脂肪量算出部１３において算出された各種の体脂肪量の情報を表示する。表示部２６としては、たとえばＬＣＤ（liquid crystal display）が利用可能である。なお、表示部２６において表示される脂肪量としては、たとえば被験者の全身の体脂肪量や被験者の身体の特定の部位別の脂肪量、内臓脂肪量、腹部における皮下脂肪量等が挙げられる。ここで、「脂肪量」とは、たとえば脂肪重量、脂肪面積、脂肪体積、脂肪レベル等に代表される脂肪の量を指し示す指標を意味し、特に「内臓脂肪量」とは、内臓脂肪重量、内臓脂肪面積、内臓脂肪体積および内臓脂肪レベルの少なくともいずれかで表現される指標を意味する。
【００４５】
操作部２７は、体脂肪測定装置１に対して被験者が命令を入力するための部位であり、たとえば被験者が押下可能なキー等によって構成される。
【００４６】
電源部２８は、制御部１０に電力を供給するための部位であり、バッテリ等の内部電源や商用電源等の外部電源等が含まれる。
【００４７】
メモリ部２９は、体脂肪測定装置１に関する各種のデータやプログラムを記憶するための部位であり、たとえば上述した被験者情報や算出された内臓脂肪量、後述する体脂肪測定処理を実行するための体脂肪測定プログラム等を記憶している。
【００４８】
＜体脂肪測定装置において行なわれる演算処理＞
次に、体脂肪測定装置において行なわれる演算処理の一例について説明する。上述したように、体脂肪測定装置１においては、各種脂肪量算出部１３において各種の体脂肪量が測定可能であるが、以下においては、内臓脂肪量を示す指標としての内臓脂肪面積、皮下脂肪量を示す指標としての皮下脂肪面積および体脂肪量と体重との関係を示す指標としての体脂肪率のそれぞれの算出の際に実施される演算処理を特に例示して説明する。
【００４９】
図１を参照して、インピーダンス算出部１２は、定電流生成部２１において生成される定電流の電流値と、電位差検出部２３において検出される電位差とに基づいて、２種類の生体インピーダンスを算出する。２種類の生体インピーダンスの一方は、被験者の腹部における除脂肪量を反映する生体インピーダンスＺｔである。他方の生体インピーダンスは、被験者の腹部における皮下脂肪量を反映する生体インピーダンスＺｓである。
【００５０】
内臓脂肪量算出部１６は、算出された２種類の生体インピーダンスＺｔ，Ｚｓと、被験者の体格情報の１つであるウエスト長Ｗとに基づいて、被験者の内臓脂肪面積Ｓｖ（単位：ｃｍ2）を算出する。具体的には、たとえば、２種類の生体インピーダンスＺｔ，Ｚｓおよび被験者のウエスト長Ｗと内臓脂肪面積Ｓｖとの関係を表わす以下のような式（１）によって、内臓脂肪面積Ｓｖが算出される。
【００５１】
Ｓｖ＝ａ×Ｗ2−ｂ×（１／Ｚｔ）−ｃ×Ｗ×Ｚｓ−ｄ          …（１）
（ただし、ａ，ｂ，ｃ，ｄ：係数）。
【００５２】
また、皮下脂肪量算出部１７は、算出された生体インピーダンスＺｓと、被験者の体格情報の１つであるウエスト長Ｗとに基づいて、被験者の皮下脂肪面積Ｓｓ（単位：ｃｍ2）を算出する。具体的には、たとえば、生体インピーダンスＺｓおよび被験者のウエスト長Ｗと皮下脂肪面積Ｓｓとの関係を表わす以下のような式（２）によって、皮下脂肪面積Ｓｓが算出される。
【００５３】
Ｓｓ＝ｅ×Ｗ×Ｚｓ＋ｆ          …（２）
（ただし、ｅ，ｆ：係数）。
【００５４】
また、体脂肪量算出部１４は、算出された生体インピーダンスＺｔと、被験者の体格情報の１つである身長Ｈとに基づいて、除脂肪量ＦＦＭ（単位：ｋｇ）を算出する。具体的には、たとえば、生体インピーダンスＺｔおよび被験者の身長Ｈと除脂肪量ＦＦＭとの関係を表わす以下のような式（３）によって、除脂肪量ＦＦＭが算出される。
【００５５】
ＦＦＭ＝ｉ×Ｈ2／Ｚｔ＋ｊ          …（３）
（ただし、ｉ，ｊ：係数）。
【００５６】
また、体脂肪量算出部１４は、算出された除脂肪量ＦＦＭと、体格情報である体重Ｗｔとに基づいて、被験者の体脂肪量、たとえば体脂肪率（％）を算出する。具体的には、たとえば、体脂肪率は、除脂肪量ＦＦＭと被験者の体重Ｗｔとに基づいて、以下のような式（４）により算出される。
【００５７】
体脂肪率＝（Ｗｔ−ＦＦＭ）／Ｗｔ×１００          …（４）
また、具体的な説明は省略するが、身体の部位別の体脂肪量についても、定電流印加電極および電位差検出電極を種々切替えて得られた生体インピーダンスと、被験者の体格情報とに基づいて、その算出が可能である。
【００５８】
なお、上記のような式（１），（２），（３）の各々における係数は、たとえばＭＲＩによる測定結果に基づく回帰式により定められる。また、式（１），（２），（３）の各々における係数は、年齢および／または性別ごとに定められてもよい。
【００５９】
＜体脂肪測定装置の動作手順＞
次に、体脂肪測定装置を用いて内臓脂肪面積、皮下脂肪面積および体脂肪率を測定する際の体脂肪測定装置の動作について説明する。図２は、体脂肪測定装置を用いて内臓脂肪面積、皮下脂肪面積および体脂肪率を測定する際の体脂肪測定装置の動作手順を定めたフローチャートである。図２のフローチャートに示す処理は、予めプログラムとしてメモリ部２９に格納されており、演算処理部１１を含む制御部１０がこのプログラムを読み出して実行することにより、内臓脂肪面積測定処理、皮下脂肪面積測定処理および体脂肪率測定処理の機能が実現される。なお、以下に示す動作手順は、図１に示す体脂肪測定装置において、図示される４つの腹部電極Ａ１１，Ａ１２，Ａ２１，Ａ２２を１組とする腹部電極群を互いに平行に４組配置した構成とした場合の動作手順である。
【００６０】
図２を参照して、制御部１０は、体格情報としてのウエスト長Ｗや身長Ｈ、体重Ｗｔ等を含む被験者情報の入力を受け付ける（ステップＳ１）。ここで受け付けた被験者情報は、たとえばメモリ部２９に一時的に保存される。なお、体格情報計測部２４を用いて被験者情報のうちの特定の体格情報を自動計測する構成を採用した場合には、体格情報計測部２４にて計測された体格情報が制御部１０に対して入力される。
【００６１】
次に、制御部１０は、測定開始の指示があったか否かを判断する（ステップＳ２）。制御部１０は、測定開始の指示があるまで待機する（ステップＳ２においてＮＯ）。制御部１０は、測定開始の指示を検知した場合に（ステップＳ２においてＹＥＳ）、電極の設定を行なう（ステップＳ３）。
【００６２】
ここで、ステップＳ３において、制御部１０は、たとえば一対の上肢電極Ｈ１１，下肢電極Ｆ１１および一対の上肢電極Ｈ２１，下肢電極Ｆ２１をそれぞれ定電流印加電極対として選択し、４組ある腹部電極群のうちの１の腹部電極群に含まれる一対の腹部電極Ａ１１，Ａ２１を電位差検出電極対として選択する。端子切替部２２は、制御部１０の制御に基づいて、一対の上肢電極Ｈ１１，下肢電極Ｆ１１および一対の上肢電極Ｈ２１，下肢電極Ｆ２１を定電流生成部２１と電気的に接続し、かつ一対の腹部電極Ａ１１，Ａ２１を電位差検出部２３と電気的に接続する。ここで、端子切替部２２は、制御部１０の制御に基づいて、選択されていない電極と定電流生成部２１および電位差検出部２３との電気的な接続を切断する。
【００６３】
定電流生成部２１は、制御部１０の制御に基づいて、上肢と下肢との間に定電流を流す。たとえば、定電流生成部２１は、上肢電極Ｈ１１および上肢電極Ｈ２１から下肢電極Ｆ１１および下肢電極Ｆ２１へ定電流を流す（ステップＳ４）。この場合、端子切替部２２は、上肢電極Ｈ１１と上肢電極Ｈ２１とを短絡し、かつ下肢電極Ｆ１１と下肢電極Ｆ２１とを短絡させる構成であることが好ましい。なお、定電流生成部２１および端子切替部２２は、上肢電極Ｈ１１，Ｈ２１のいずれか１つから下肢電極Ｆ１１，Ｆ２１のいずれか１つへ定電流を流す構成であってもよい。
【００６４】
この状態において、電位差検出部２３は、制御部１０の制御に基づいて、腹部電極Ａ１１，Ａ２１間の電位差を検出する（ステップＳ５）。
【００６５】
次に、制御部１０は、予め定めたすべての電極対の組み合わせに対して電位差の検出が終了したか否かを判断する（ステップＳ６）。制御部１０は、予め定めたすべての電極対の組み合わせに対して電位差の検出が終了していないと判断した場合に（ステップＳ６においてＮＯ）、上述のステップＳ３の処理へと移行する。制御部１０は、予め定めたすべての電極対の組み合わせに対して電位差の検出が終了したと判断した場合に（ステップＳ６においてＹＥＳ）、後述するステップＳ７の処理へと移行する。
【００６６】
このようにして、制御部１０は、他の腹部電極群に含まれる腹部電極Ａ１１，Ａ２１を順番に電位差検出電極対として選択していく。すなわち、端子切替部２２は、制御部１０の制御に基づいて、他の腹部電極群に含まれる腹部電極Ａ１１，Ａ２１を順番に電位差検出部２３と電気的に接続する（ステップＳ３）。そして、電位差検出部２３は、制御部１０の制御に基づいて、他の腹部電極群に含まれる腹部電極Ａ１１，Ａ２１間の電位差を各々順番に検出する（ステップＳ５）。
【００６７】
インピーダンス算出部１２は、すべての腹部電極群に含まれる腹部電極Ａ１１，Ａ２１の組み合わせに対する電位差の検出が終了した後に（ステップＳ６においてＹＥＳ）、定電流生成部２１が生成し身体に流した定電流の電流値と、電位差検出部２３が検出した各電位差とに基づいて、生体インピーダンスＺｔ１〜Ｚｔ４を算出する（ステップＳ７）。インピーダンス算出部１２が算出した生体インピーダンスＺｔ１〜Ｚｔ４の値は、たとえばメモリ部２９に一時的に保存される。
【００６８】
次に、制御部１０は、改めて電極の設定を行なう（ステップＳ８）。より具体的には、制御部１０は、４組ある腹部電極群のうちの１つの腹部電極群に含まれる一対の腹部電極Ａ１１，Ａ２１を定電流印加電極対として選択し、当該腹部電極群に含まれる一対の腹部電極Ａ１２，Ａ２２を電位差検出電極対として選択する。端子切替部２２は、制御部１０の制御に基づいて、一対の腹部電極Ａ１１，Ａ２１を定電流生成部２１と電気的に接続し、かつ一対の腹部電極Ａ１２，Ａ２２を電位差検出部２３と電気的に接続する。ここで、端子切替部２２は、制御部１０の制御に基づいて、選択されていない腹部電極、上肢電極および下肢電極と定電流生成部２１および電位差検出部２３との電気的な接続を切断する。
【００６９】
定電流生成部２１は、制御部１０の制御に基づいて、腹部電極Ａ１１，Ａ２１間に定電流を流す（ステップＳ９）。
【００７０】
この状態において、電位差検出部２３は、制御部１０の制御に基づいて、腹部電極Ａ１２，Ａ２２間の電位差を検出する（ステップＳ１０）。
【００７１】
次に、制御部１０は、予め定めたすべての電極対の組み合わせに対して電位差の検出が終了したか否かを判断する（ステップＳ１１）。制御部１０は、予め定めたすべての電極対の組み合わせに対して電位差の検出が終了していないと判断した場合に（ステップＳ１１においてＮＯ）、上述のステップＳ８の処理へと移行する。制御部１０は、予め定めたすべての電極対の組み合わせに対して電位差の検出が終了したと判断した場合に（ステップＳ１１においてＹＥＳ）、後述するステップＳ１２の処理へと移行する。
【００７２】
このようにして、制御部１０は、他の腹部電極群に含まれる腹部電極Ａ１１，Ａ２１を定電流印加電極として選択するとともに、当該腹部電極群に含まれる腹部電極Ａ１２，Ａ２２を順番に電位差検出電極対として選択していく。すなわち、端子切替部２２は、制御部１０の制御に基づいて、他の腹部電極群に含まれる腹部電極Ａ１１，Ａ２１を順番に定電流生成部２１と電気的に接続するとともに、当該腹部電極群に含まれる腹部電極Ａ１２，Ａ２２を順番に電位差検出部２３と電気的に接続する（ステップＳ８）。そして、電位差検出部２３は、制御部１０の制御に基づいて、他の腹部電極群に含まれる腹部電極Ａ１１，Ａ２１間に定電流を流し（ステップＳ９）、当該腹部電極群に含まれる腹部電極Ａ１２，Ａ２２間の電位差を各々順番に検出する（ステップＳ１０）。
【００７３】
インピーダンス算出部１２は、すべての腹部電極群に含まれる電極対の組み合わせに対する電流の印加および電位差の検出が終了した後に（ステップＳ１１においてＹＥＳ）、定電流生成部２１が生成し身体に流した定電流の電流値と、電位差検出部２３が検出した各電位差とに基づいて、生体インピーダンスＺｓ１〜Ｚｓ４を算出する（ステップＳ１２）。インピーダンス算出部１２が算出した生体インピーダンスＺｓ１〜Ｚｓ４の値は、たとえばメモリ部２９に一時的に保存される。
【００７４】
次に、内臓脂肪量算出部１６は、ステップＳ１で制御部１０が受け付けた体格情報のうちのウエスト長Ｗと、算出された生体インピーダンスＺｔ１〜Ｚｔ４および生体インピーダンスＺｓ１〜Ｚｓ４とに基づいて、内臓脂肪面積Ｓｖを算出する（ステップＳ１３）。内臓脂肪面積Ｓｖは、上述の式（１）により算出される。なお、上述のように４つの腹部電極Ａ１１，Ａ１２，Ａ２１，Ａ２２を１組とする腹部電極群を互いに平行に４組配置した構成とした場合には、たとえば、４つの生体インピーダンスＺｔ１〜Ｚｔ４の平均値および４つの生体インピーダンスＺｓ１〜Ｚｓ４の平均値が、それぞれ式（１）に代入される。
【００７５】
次に、皮下脂肪量算出部１７は、ステップＳ１で制御部１０が受け付けた体格情報のうちのウエスト長Ｗと、算出された生体インピーダンスＺｓ１〜Ｚｓ４とに基づいて、皮下脂肪面積Ｓｓを算出する（ステップＳ１４）。皮下脂肪面積Ｓｓは、上述の式（２）にウエスト長Ｗおよび算出された生体インピーダンスＺｓを代入することによって算出される。なお、上述のように４つの腹部電極Ａ１１，Ａ１２，Ａ２１，Ａ２２を１組とする腹部電極群を互いに平行に４組配置した構成とした場合には、たとえば、４個の生体インピーダンスＺｓ１〜Ｚｓ４の平均値が、式（２）における生体インピーダンスＺｓに代入される。
【００７６】
次に、体脂肪量算出部１４は、ステップＳ１において制御部１０が受け付けた体格情報のうちの身長Ｈと、算出された生体インピーダンスＺｔとに基づいて、除脂肪量ＦＦＭを算出する（ステップＳ１５）。除脂肪量ＦＦＭは、上述の式（３）により算出される。なお、上述のように４つの腹部電極Ａ１１，Ａ１２，Ａ２１，Ａ２２を１組とする腹部電極群を互いに平行に４組配置した構成とした場合には、たとえば、４個の生体インピーダンスＺｔ１〜Ｚｔ４の平均値が、式（３）における生体インピーダンスＺｔに代入される。
【００７７】
また、体脂肪量算出部１４は、ステップＳ１で制御部１０が受け付けた体格情報のうちの体重Ｗｔと、ステップＳ１５で体脂肪量算出部１４が算出した除脂肪量ＦＦＭとに基づいて、体脂肪率を算出する（ステップＳ１６）。体脂肪率は、上述の式（４）により算出される。
【００７８】
そして、表示部２６は、制御部１０の制御に基づいて、各測定結果を表示する（ステップＳ１７）。
【００７９】
以上で体脂肪測定装置１は、内臓脂肪面積測定処理、皮下脂肪面積測定処理および体脂肪率測定処理を含む体脂肪量測定処理を終了する。なお、生体インピーダンスＺｔ１〜Ｚｔ４の典型的な値は、それぞれ約５Ω程度である。また、生体インピーダンスＺｓ１〜Ｚｓ４の典型的な値は、それぞれ約８０Ω程度である。
【００８０】
＜体脂肪測定装置の構成＞
次に、本実施の形態における生体インピーダンス測定用腹部装着ユニットを含む体脂肪測定装置の具体的な構成について説明する。図３は、本実施の形態における生体インピーダンス測定用腹部装着ユニットを含む体脂肪測定装置の構成を示す図であり、体脂肪測定装置に含まれる各種装着ユニットを被験者に装着した状態を示す斜視図である。なお、以下に示す体脂肪測定装置は、図１に示す体脂肪測定装置１において、図示される４つの腹部電極Ａ１１，Ａ１２，Ａ２１，Ａ２２を１組とする腹部電極群が互いに平行に４組配置されてなるものである。
【００８１】
図３に示すように、体脂肪測定装置１は、被験者３００の腹部３０１に装着される生体インピーダンス測定用腹部装着ユニット１１０Ａ（本実施の形態における生体インピーダンス測定用腹部装着ユニットに相当）と、被験者３００の上肢に装着される一対の生体インピーダンス測定用上肢装着ユニット１７２Ａ，１７２Ｂと、被験者３００の下肢に装着される一対の生体インピーダンス測定用下肢装着ユニット１７３Ａ，１７３Ｂと、これら各種装着ユニット１１０Ａ，１７２Ａ，１７２Ｂ，１７３Ａ，１７３Ｂと接続ケーブル１８０を介して接続された装置本体１６０とを備えている。
【００８２】
生体インピーダンス測定用腹部装着ユニット１１０Ａは、腹部３０１に巻き回し可能な帯状部材にて構成されており、電極支持部材１２０と、第１ベルト部材１３０および第２ベルト部材１３５とを含んでいる。生体インピーダンス測定用上肢装着ユニット１７２Ａ，１７２Ｂおよび生体インピーダンス測定用下肢装着ユニット１７３Ａ，１７３Ｂのそれぞれは、被験者３００の上肢または下肢を挟持可能なクリップ状の形状を有している。生体インピーダンス測定用腹部装着ユニット１１０Ａ、生体インピーダンス測定用上肢装着ユニット１７２Ａ，１７２Ｂおよび生体インピーダンス測定用下肢装着ユニット１７３Ａ，１７３Ｂは、それぞれ被験者の体表面に接触配置可能な電極を有している。なお、本実施の形態における生体インピーダンス測定用腹部装着ユニット１１０Ａの具体的な構成については、後述することとする。
【００８３】
装置本体１６０は、上述した制御部１０、定電流生成部２１、端子切替部２２、電位差検出部２３、被験者情報入力部２５、表示部２６、操作部２７およびメモリ部２９等を含んでいる。なお、装置本体１６０に設けられた定電流生成部２１、端子切替部２２および電位差検出部２３等は、必要に応じて生体インピーダンス測定用腹部装着ユニット１１０Ａに設けることも可能である。
【００８４】
図３に示すように、各種の体脂肪量の測定を行なうに際しては、被験者３００はベッド面４００上において仰臥位（すなわち仰向けに寝転んだ姿勢）をとる。そして、被験者３００の腹部３０１に生体インピーダンス測定用腹部装着ユニット１１０Ａを装着し、生体インピーダンス測定用上肢装着ユニット１７２Ａ，１７２Ｂを被験者３００の上肢（好適には手首３０２Ａ，３０２Ｂ）に装着し、生体インピーダンス測定用下肢装着ユニット１７３Ａ，１７３Ｂを被験者３００の下肢（好適には足首３０３Ａ，３０３Ｂ）に装着する。この各種装着ユニット１１０Ａ，１７２Ａ，１７２Ｂ，１７３Ａ，１７３Ｂの装着により、これら各種装着ユニット１１０Ａ，１７２Ａ，１７２Ｂ，１７３Ａ，１７３Ｂに設けられた電極が、被験者３００の体表面に接触させられる。なお、各種の体脂肪量の測定中においては、被験者３００は上述の仰臥位を維持する。
【００８５】
＜生体インピーダンス測定用腹部装着ユニット＞
次に、本実施の形態における生体インピーダンス測定用腹部装着ユニットの構成および当該生体インピーダンス測定用腹部装着ユニットを被験者の腹部に装着した状態について詳説する。図４は、本実施の形態における生体インピーダンス測定用腹部装着ユニットの構成を示す斜視図であり、図５は、本実施の形態における生体インピーダンス測定用腹部装着ユニットを被験者の腹部に装着した状態を示す模式断面図である。
【００８６】
図４に示すように、本実施の形態における生体インピーダンス測定用腹部装着ユニット１１０Ａは、電極支持部材１２０と、第１ベルト部材１３０と、第２ベルト部材１３５とを主として備えている。第１ベルト部材１３０および第２ベルト部材１３５は、電極支持部材１２０に接続されており、これら電極支持部材１２０、第１ベルト部材１３０および第２ベルト部材１３５によって被験者の腹部に巻き回される帯状部材が構成されている。
【００８７】
電極支持部材１２０は、平面視略矩形状のシート状の形状を有しており、その長尺方向に伸縮性を実質的に有さない部材にて構成されている。第１ベルト部材１３０は、上記電極支持部材１２０に比較して幅の狭い長尺状の形状を有しており、その長尺方向に伸縮性を有する部材にて構成されている。第２ベルト部材１３５は、上記電極支持部材１２０に比較して幅の狭い長尺状の形状を有しており、その長尺方向に伸縮性を有さない部材にて構成されている。すなわち、電極支持部材１２０および第２ベルト部材１３５は、帯状部材の非伸縮領域に相当し、第１ベルト部材１３０は、帯状部材の伸縮領域に相当する。これら電極支持部材１２０、第１ベルト部材１３０および第２ベルト部材１３５は、いずれも装着状態において被験者の腹部の表面にフィットするように柔軟な材料にて構成されている。
【００８８】
電極支持部材１２０の内周面側には、行列状に複数の電極１２２が配設されている。これら複数の電極１２２のそれぞれは、シート状の電極支持部材１２０の内周面から僅かに突出した状態で設けられている。行列状に配置された複数の電極１２２のそれぞれは、４つの腹部電極Ａ１１，Ａ１２，Ａ２１，Ａ２２を１組とする４組の腹部電極群に含まれる各々の腹部電極に相当している。電極の材質としては、生体適合性に優れた金属材料が選択される。なお、電極支持部材１２０の所定位置には、接続ケーブル１８０を取付けるためのコネクタ１２６が設けられている。
【００８９】
第１ベルト部材１３０の長尺方向における一端部１３１は、電極支持部材１２０の一端部にたとえば縫製等によって固定されている。第１ベルト部材１３０の長尺方向における他端部１３２寄りの部分の内周面側には、面ファスナ１３３が設けられている。第２ベルト部材１３５の長尺方向における一端部１３６は、電極支持部材１２０の他端部にたとえば縫製等によって固定されている。第２ベルト部材１３５の他端部１３７寄りの部分の外周面側には、上述の第１ベルト部材１３０に設けられた面ファスナ１３３に係合可能な面ファスナ１３８が設けられている。面ファスナ１３３，１３８は、生体インピーダンス測定用腹部装着ユニット１１０Ａが被験者の腹部に巻き回された状態において当該装着ユニット１１０Ａを被験者の腹部に固定するための固定手段に相当する。
【００９０】
第１ベルト部材１３０の外周面側の所定位置には、第１ベルト部材１３０の引張状態を示す指標としてのマーク１３４ａが設けられている。このマーク１３４ａは、たとえば第１ベルト部材１３０の外周面側の主表面に印刷された縦長の楕円形状の模様からなる。
【００９１】
図５に示すように、本実施の形態における生体インピーダンス測定用腹部装着ユニット１１０Ａを被験者３００の腹部３０１に装着した状態においては、電極支持部材１２０、第１ベルト部材１３０および第２ベルト部材１３５からなる帯状部材が被験者３００の腹部３０１に巻き回される。ここで、電極支持部材１２０は、被験者３００の腹部背面側に位置するように位置決めされ、第１ベルト部材１３０および第２ベルト部材１３５は、被験者の３００の脇腹（側腹）から腹部前面側に向かって巻き付けられるように取付けられる。そして、第１ベルト部材１３０の他端部１３２と第２ベルト部材１３５の他端部１３７とが被験者３００の腹部前面の概ね臍位置あたりにおいて重ね合わされ、第１ベルト部材１３０の他端部１３２に設けられた面ファスナ１３３を第２ベルト部材１３５の他端部１３７に設けられた面ファスナ１３８に係止することにより、生体インピーダンス測定用腹部装着ユニット１１０Ａが被験者３００の腹部３０１に巻き付けられた状態で固定されている。これにより、電極支持部材１２０の内周面側に設けられた電極１２２が当該電極支持部材１２０を含む帯状部材の締め付け力によって被験者３００の腹部背面に押し付けられて接触配置されることになる。
【００９２】
ここで、第１ベルト部材１３０は、上述のようにその長尺方向において伸縮性を有する部材にて構成されている。そのため、第１ベルト部材１３０の他端部１３２寄りの部分を他端部１３２側に向けて引っ張ることにより、当該第１ベルト部材１３０は、電極支持部材１２０に固定された一端部１３１を基点に伸長した状態となる。また、第１ベルト部材１３０と第２ベルト部材１３５との固定は、上述のように面ファスナ１３３，１３８の係止によって行なわれる。そのため、第１ベルト部材１３０を伸長させた状態のまま第１ベルト部材１３０に設けられた面ファスナ１３３を第２ベルト部材１３５に設けられた面ファスナ１３８に係止させることにより、第１ベルト部材１３０が伸長した状態をこれら面ファスナ１３３，１３８によって維持することができる。したがって、本実施の形態における生体インピーダンス測定用腹部装着ユニット１１０Ａにあっては、第１ベルト部材１３０を伸長させて第２ベルト部材１３５に固定することにより、装着状態において帯状部材の被験者３００の腹部３０１に対する巻き付け長さを任意の長さに維持することができる。
【００９３】
図３および図５に示すように、本実施の形態における生体インピーダンス測定用腹部装着ユニット１１０Ａを被験者３００の腹部３０１に装着した状態においては、上述した第１ベルト部材１３０の引張状態を示す指標としてのマーク１３４ａが被験者３００の腹部前面の所定位置に配置されることになる。ここで、マーク１３４ａは、第１ベルト部材１３０の外周面側に設けられているため、装着作業時および装着後のいずれにおいても視認することができる。
【００９４】
図６は、本実施の形態における生体インピーダンス測定用腹部装着ユニットに設けられたマークの形状の変化を説明するための模式図である。図６（Ａ）に示すように、第１ベルト部材１３０が引っ張られていない状態（以下、無荷重状態と称する）においては、上述したようにマーク１３４ａは縦長の楕円形状となっている。しかしながら、図６（Ｂ）および図６（Ｃ）に示すように、長尺方向に伸縮性を有する第１ベルト部材１３０を長尺方向に引っ張った状態においては、このマーク１３４ａは第１ベルト部材１３０の伸長に応じて形状を変化させ、縦長の楕円形状から真円形状へと変形し（図６（Ｂ）参照）、さらには横長の楕円形状へと変形する（図６（Ｃ）参照）。このマーク１３４ａの形状の変化は、第１ベルト部材１３０に加えられる引張り力に応じて変化するものであり、したがって当該マーク１３４ａの形状を確認することによって第１ベルト部材１３０に加わる引っ張り力を調整しつつ生体インピーダンス測定用腹部装着ユニット１１０Ａを装着することが可能となる。
【００９５】
ここで、電極１２２が被験者３００の腹部３０１に最適な押し付け力にて押し付けられる際の第１ベルト部材１３０に加えられる引張り力を予め得ておき、当該引っ張り力が第１ベルト部材１３０に加えられたときにマーク１３４ａの形状が真円形状となるように設定すれば、上記マーク１３４ａの形状を確認しつつ当該マーク１３４ａが真円形状になるように生体インピーダンス測定用腹部装着ユニット１１０Ａを巻き付けることによって電極１２２の被験者３００の腹部３０１に対する押し付け力を最適荷重にすることができる。すなわち、マーク１３４ａが図６（Ｂ）に示すようにその形状が真円形状となった場合において電極１２２の被験者３００の腹部３０１に対する押し付け力が最適化された状態（以下、最適荷重状態と称する）が実現されていることを指し示すことになり、マーク１３４ａが図６（Ｃ）に示すようにその形状が横長の楕円形状となった場合において電極１２２の被験者３００の腹部３０１に対する押し付け力が必要以上に大きくなっている状態（以下、過荷重状態と称する）にあることを指し示すことになる。なお、電極１２２の被験者３００の腹部３０１に対する押し付け力が最適化された場合に帯状部材に加えられる引っ張り荷重としては、概ね１．０ｋｇｆ〜２．０ｋｇｆ程度であり、好ましくは１．５ｋｇｆである。
【００９６】
なお、図５に示す状態においては、周方向に４列にわたって配置された腹部電極群のうち、内側に位置する２列の腹部電極群については、被験者３００の腹部３０１とベッド面４００との間にこれら２列の腹部電極群が挟まれ、これら腹部電極群に含まれる電極１２２に被験者３００の体重が加わることになるため、十分な接触安定性が確保される。しかしながら、周方向に４列にわたって配置された腹部電極群のうち、外側に位置する２列の腹部電極群については、これら腹部電極群に含まれる電極１２２に被験者３００の体重が加わることがないため、生体インピーダンス測定用腹部装着ユニット１１０Ａの巻き付け状態の如何によっては十分な接触安定性が確保されない場合がある。そこで、上述のマーク１３４ａを用いた電極１２２の被験者３００の腹部３０１に対する押し付け力の最適化を行なうことにより、電極１２２と被験者３００の腹部３０１との間の接触安定性が確保されることになる。
【００９７】
このように、本実施の形態の如くの生体インピーダンス測定用腹部装着ユニット１１０Ａとすることにより、当該生体インピーダンス測定用腹部装着ユニット１１０Ａを被験者３００の腹部３０１に巻き回して固定するにあたり、伸縮性を有する第１ベルト部材１３０の長尺方向における引張状態を示すマーク１３４ａの形状を確認しつつ帯状部材の腹部３０１への巻き付け長さを調節して生体インピーダンス測定用腹部装着ユニット１１０Ａ装着すること可能になる。したがって、当該マーク１３４ａが真円形状となるように調節して生体インピーダンス測定用腹部装着ユニット１１０Ａを装着することにより、装着の度毎に生体インピーダンス測定用腹部装着ユニット１１０Ａの巻き付け強さを一定の強さに安定的に保つことができるようになる。また、上記のように生体インピーダンス測定用腹部装着ユニット１１０Ａの巻き付け強さを一定の強さに保つようにすれば、被験者３００の腹部周長（ウエスト長）や形状に依存することなく、常に電極１２２を被験者３００の腹部３０１に対して最適荷重で押し付けることが可能になる。その結果、被験者の別を問わず装着状態において一定の荷重で電極１２２が被験者の腹部３０１に対して再現性よく押し付け可能な生体インピーダンス測定用装着ユニットとすることができる。
【００９８】
したがって、このように構成された生体インピーダンス測定用腹部装着ユニット１１０Ａを利用して生体インピーダンスを測定することにより、高精度に生体インピーダンスを測定することができる。そのため、本実施の形態の如くの生体インピーダンス測定用腹部装着ユニット１１０Ａを具備した体脂肪測定装置１とすることにより、高精度に被験者３００の体脂肪量（特に内臓脂肪量や皮下脂肪量等）を測定することが可能になる。
【００９９】
また、上述した過荷重状態においては、生体インピーダンス測定用腹部装着ユニット１１０Ａにて必要以上に被験者３００の腹部３０１を締め付けることになり、被験者３００に苦痛を与えることにもなりかねない。その意味においても、本実施の形態の如くの生体インピーダンス測定用腹部装着ユニット１１０Ａとすることにより、装着状態において必要以上の締め付け力が被験者３００の腹部３０１に加わることが防止でき、被験者３００に苦痛を与えることが回避できる。
【０１００】
また、上述したように、本実施の形態における生体インピーダンス測定用腹部装着ユニット１１０Ａにあっては、長尺方向に伸縮性を有さない電極支持部材１２０に複数の電極１２２を設ける構成としているため、装着状態において複数の電極１２２の間の距離が一定に保たれるようになり、安定した生体インピーダンスの測定が可能になる。
【０１０１】
また、上述したように、本実施の形態における生体インピーダンス測定用腹部装着ユニット１１０Ａにあっては、第１ベルト部材１３０の引張状態を示す指標として第１ベルト状部材１３０にマーク１３４ａを印刷によって付す構成としているため、非常に容易に引張状態を示す指標を帯状部材に具備させることができる。
【０１０２】
なお、上述の本実施の形態においては、第１ベルト部材１３０の伸縮に応じてそれ自体が変形するマーク１３４ａとして、適正荷重状態において真円形状となるものを例示して説明を行なったが、マーク１３４ａの形状は、このようなものに限定されるものではない。図７は、第１ベルト部材の引張状態を示すマークの他の例を示す図である。
【０１０３】
図７（Ａ）は、上述の如く適正荷重状態において真円形状をとるマークを採用した場合を示すものであり、当該マークを採用した場合には、その形状は、無過重状態において縦長の楕円形状を、また過荷重状態において横長の楕円形状をそれぞれとることになる。
【０１０４】
図７（Ｂ）は、適正荷重状態において正方形の形状をとるマークを採用した場合を示すものであり、当該マークを採用した場合には、その形状は、無過重状態において縦長の長方形の形状を、また過荷重状態において横長の長方形の形状をそれぞれとることになる。
【０１０５】
図７（Ｃ）は、適正荷重状態において斜めに傾いた正方形の形状をとるマークを採用した場合を示すものであり、当該マークを採用した場合には、その形状は、無過重状態において縦長の菱形の形状を、また過荷重状態において横長の菱形の形状をそれぞれとることになる。
【０１０６】
図７（Ｄ）は、適正荷重状態において人の顔を模した形状をとるマークを採用した場合を示すものであり、当該マークを採用した場合には、その形状は、無過重状態において横方向に押し潰されたような形状を、また過荷重状態において横方向に引っ張られたような形状をそれぞれとることになる。
【０１０７】
図７（Ｅ）は、適正荷重状態において一定の距離を置いて直角に交わる複数の縦線および横線からなる格子状の形状をとるマークを採用した場合を示すものであり、当該マークを採用した場合には、その形状は、無過重状態において縦線の間隔が詰まった格子状の形状を、また過荷重状態において横線の間隔が詰まった格子状の形状をそれぞれとることになる。
【０１０８】
なお、図７に示したマークは、想定されるマークの一部を例示したものに過ぎず、適正荷重状態においてその形状が特に意味の有る特徴的な形状をとるものであればどのような形状のマークを採用してもよい。すなわち、それ自体が変形することによって引張状態を示すマークとしては、幾何学的な模様、文字、記号、ロゴ、キャラクター等の絵、商標など、様々なものが採用可能である。
【０１０９】
また、上述の本実施の形態においては、マーク１３４ａを印刷によって第１ベルト部材１３０に付した場合を例示して説明を行なったが、他の方法で第１ベルト部材１３０にマーク１３４ａを付すことも可能である。たとえば、第１ベルト部材１３０を織布で構成する場合には、当該織布自体に模様を織り込むことによってマーク１３４を付すことが考えられる。
【０１１０】
また、上述の本実施の形態においては、第１ベルト部材１３０にマーク１３４ａを設けることによって当該マーク１３４ａを第１ベルト部材１３０の引張状態を示す指標として利用する場合を例示して説明を行なったが、このマーク１３４ａに代え、第１ベルト部材１３０に穴を穿つことによって当該穴を第１ベルト部材１３０の引張状態を示す指標として利用することも可能である。その場合の穴の形状としては、適正荷重状態においてその形状が特に意味の有る特徴的な形状をとるものであればどのような形状を採用してもよく、たとえば適正荷重状態において真円形状をとる穴や正方形の形状をとる穴などが採用可能である。
【０１１１】
（実施の形態２）
図８は、本発明の実施の形態２における生体インピーダンス測定用腹部装着ユニットの構成を示す斜視図である。本実施の形態における生体インピーダンス測定用腹部装着ユニット１１０Ｂは、上述の本発明の実施の形態１において示した体脂肪測定装置１に具備されるものであり、上述の本発明の実施の形態１において示す生体インピーダンス測定用腹部装着ユニット１１０Ａと概ね同様の構成を有している。したがって、上述の本発明の実施の形態１における生体インピーダンス測定用腹部装着ユニット１１０Ａと同一または相当の部分については図中同一の符号を付し、その説明はここでは繰り返さない。
【０１１２】
図８に示すように、本実施の形態における生体インピーダンス測定用腹部装着ユニット１１０Ｂは、上述の本発明の実施の形態１における生体インピーダンス測定用腹部装着ユニット１１０Ａと同様に、電極支持部材１２０と、この電極支持部材１２０に一端部１３１，１３６が接続された第１ベルト部材１３０および第２ベルト部材１３５とを主として備えている。電極支持部材１２０は、平面視略矩形状のシート状の形状を有しており、その長尺方向に伸縮性を実質的に有さない部材にて構成されている。第１ベルト部材１３０は、上記電極支持部材１２０に比較して幅の狭い長尺状の形状を有しており、その長尺方向に伸縮性を有する部材にて構成されている。第２ベルト部材１３５は、上記電極支持部材１２０に比較して幅の狭い長尺状の形状を有しており、その長尺方向に伸縮性を有さない部材にて構成されている。
【０１１３】
電極支持部材１２０は、第１ベルト部材１３０が取付けられた側の端部に、第１ベルト部材１３０の他端部１３７側に向かって突出して延びる延長部１２３を有しており、当該延長部１２３の外周面側の所定位置には、アラインメントマーク１２４が設けられている。このアラインメントマーク１２４は、たとえば延長部１２３の外周面側の主表面に印刷された縦方向に延びる直線状のマークにて構成される。第１ベルト部材１３０は、この延長部１２３と重なる部分の外周面側の所定位置にアラインメントマーク１３４ｂを有している。このアラインメントマーク１３４ｂは、たとえば第１ベルト部材１３０の外周面側の主表面に印刷された縦方向に延びる直線状のマークにて構成される。なお、電極支持部材１２０の延長部１２３は、第１ベルト部材１３０よりも幅が広く形成されており、電極支持部材１２０の延長部１２３に設けられたアラインメントマーク１２４は、その上端および下端が第１ベルト部材１３０によって覆われない位置にまで達している。
【０１１４】
これらアラインメントマーク１２４，１３４ｂは、第１ベルト部材１３０の引張状態を示す指標に相当し、このうちのアラインメントマーク１３４ｂは、帯状部材の伸縮領域に設けられた第１の指標に相当し、残るアラインメントマーク１２４は、帯状部材の非伸縮領域に設けられた第２の指標に相当する。ここで、アラインメントマーク１３４ｂは、第１ベルト部材１３０の伸縮に応じて移動することにより、当該アラインメントマーク１３４ｂと上記アラインメントマーク１２４との間の相対的な距離が変化することによって第１ベルト部材１３０の引張状態を指し示す。
【０１１５】
図９は、本実施の形態における生体インピーダンス測定用腹部装着ユニットに設けられたアラインメントマークの位置の変化を説明するための模式図である。図９（Ａ）に示すように、第１ベルト部材１３０が引っ張られていない無荷重状態においては、第１ベルト部材１３０に設けられたアラインメントマーク１３４ｂは、電極支持部材１２０の延長部１２３に設けられたアラインメントマーク１２４に重なっておらず、当該アラインメントマーク１２４よりも第１ベルト部材１３０の一端部１３１側に位置している。しかしながら、図９（Ｂ）および図９（Ｃ）に示すように、長尺方向に伸縮性を有する第１ベルト部材１３０を長尺方向に引っ張った状態においては、第１ベルト部材１３０に設けられたアラインメントマーク１３４ｂは、第１ベルト部材１３０の伸長に応じて徐々に移動し、所定の引張状態において電極支持部材１２０の延長部１２３に設けられたアラインメントマーク１２４に重なる位置にまで達し（図９（Ｂ）参照）、さらには当該アラインメントマーク１２４よりも第１ベルト部材１３０の他端部１３２側に位置にまで達する。このアラインメントマーク１３４ｂの位置の変化は、第１ベルト部材１３０に加えられる引張り力に応じて変化するものであり、したがってアラインメントマーク１３４ｂとアラインメントマーク１２４との間の距離を確認することによって第１ベルト部材１３０に加わる引っ張り力を調整しつつ生体インピーダンス測定用腹部装着ユニット１１０Ｂを装着することが可能になる。
【０１１６】
ここで、電極１２２が被験者３００の腹部３０１に最適な押し付け力にて押し付けられる際の第１ベルト部材１３０に加えられる引張り力を予め得ておき、当該引っ張り力が第１ベルト部材１３０に加えられたときにこれらアラインメントマーク１３４ｂとアラインメントマーク１２４とが重なるように設定すれば、上記アラインメントマーク１３４ｂの位置を確認しつつ当該アラインメントマーク１３４ｂがアラインメントマーク１２４に重なるように生体インピーダンス測定用腹部装着ユニット１１０Ｂを巻き付けることによって電極１２２の被験者３００の腹部３０１に対する押し付け力を最適荷重にすることができる。すなわち、このように構成すれば、アラインメントマーク１３４ｂが図９（Ｂ）に示すようにアラインメントマーク１２４に重なった場合において最適荷重状態が実現されていることを指し示すことになり、アラインメントマーク１３４ｂが図９（Ｃ）に示すようにアラインメントマーク１２４を越えて第１ベルト部材１３０の他端部１３２側に位置した場合において過荷重状態にあることを指し示すことになる。
【０１１７】
このように、本実施の形態の如くの生体インピーダンス測定用腹部装着ユニット１１０Ｂとすることにより、当該生体インピーダンス測定用腹部装着ユニット１１０Ｂを被験者の腹部に巻き回して固定するにあたり、伸縮性を有する第１ベルト部材１３０の長尺方向における引張状態を示す２つのアラインメントマーク１２４，１３４ｂの位置を確認しつつ帯状部材の腹部に対する巻き付け長さを調節して生体インピーダンス測定用腹部装着ユニット１１０Ｂを装着することが可能になる。したがって、これらアラインメントマーク１２４，１３４ｂが重なるように調節して生体インピーダンス測定用腹部装着ユニット１１０Ｂを装着することにより、装着の度毎に生体インピーダンス測定用腹部装着ユニット１１０Ｂの巻き付け強さを一定の強さに安定的に保つことができるようになる。また、上記のように生体インピーダンス測定用腹部装着ユニット１１０Ｂの巻き付け強さを一定の強さに保つようにすれば、被験者の腹部周長（ウエスト長）や形状に依存することなく、常に電極１２２を被験者の腹部に対して最適荷重で押し付けることが可能になる。その結果、被験者の別を問わず装着状態において一定の荷重で電極１２２が被験者の腹部に対して再現性よく押し付け可能な生体インピーダンス測定用装着ユニットとすることができる。
【０１１８】
したがって、このように構成された生体インピーダンス測定用腹部装着ユニット１１０Ｂを利用して生体インピーダンスを測定することにより、高精度に生体インピーダンスを測定することができる。そのため、本実施の形態の如くの生体インピーダンス測定用腹部装着ユニット１１０Ｂを具備した体脂肪測定装置１とすることにより、高精度に被験者の体脂肪量（特に内臓脂肪量や皮下脂肪量等）を測定することが可能になる。
【０１１９】
また、上述した過荷重状態においては、生体インピーダンス測定用腹部装着ユニット１１０Ｂにて必要以上に被験者の腹部を締め付けることになり、被験者に苦痛を与えることにもなりかねない。その意味においても、本実施の形態の如くの生体インピーダンス測定用腹部装着ユニット１１０Ｂとすることにより、装着状態において必要以上の締め付け力が被験者の腹部に加わることが防止でき、被験者に苦痛を与えることが回避できる。
【０１２０】
なお、上述の本実施の形態においては、電極支持部材１２０および第１ベルト部材１３０に直線状のアラインメントマーク１２４，１３４ｂを印刷によって付した場合を例示して説明を行なったが、アラインメントマーク１２４，１３４ｂの形状は、このような形状に限られるものではなく、またアラインメントマーク１２４，１３４ｂは、他の方法によって電極支持部材１２０および第１ベルト部材１３０に付されていてもよい。
【０１２１】
また、上述の本実施の形態においては、第１ベルト部材１３０の引張状態を示す指標を２つのアラインメントマーク１２４，１３４ｂにて構成した場合を例示して説明を行なったが、当該指標としては、このような構成に限定されるものではない。図１０は、本実施の形態における生体インピーダンス測定用腹部装着ユニットに設けられる指標の変形例を示す模式図である。
【０１２２】
図１０に示すように、本変形例に係る生体インピーダンス測定用装着ユニットにおいては、第１ベルト部材１３０の引張状態を示す指標として、電極支持部材１２０の延長部１２３の外周面側の所定位置に設けられたアラインメントマーク１２４と、上記延長部１２３と重なる部分の第１ベルト部材１３０の外周面側の所定位置に設けられた窓部１３４ｃとが採用されている。この窓部１３４ｃは、第１ベルト部材１３０の所定位置に矩形状の穴を穿つことによって形成されている。
【０１２３】
図１０（Ａ）に示すように、第１ベルト部材１３０が引っ張られていない無荷重状態においては、第１ベルト部材１３０に設けられた窓部１３４ｃ内には、電極支持部材１２０の延長部１２３に設けられたアラインメントマーク１２４は位置しておらず、当該アラインメントマーク１２４は、第１ベルト部材１３０によってその中央部分が覆われている。しかしながら、図１０（Ｂ）に示すように、第１ベルト部材１３０が最適な引っ張り力によって引っ張られている最適荷重状態においては、第１ベルト部材１３０に設けられた窓部１３４ｃ内に電極支持部材１２０の延長部１２３に設けられたアラインメントマーク１２４が位置することになり、当該窓部１３４ｃを介してアラインメントマーク１２４が視認可能となる。また、第１ベルト部材１３０が必要以上の引っ張り力にて引っ張られた過荷重状態においては、第１ベルト部材１３０に設けられた窓部１３４ｃ内には、電極支持部材１２０の延長部１２３に設けられたアラインメントマーク１２４は位置しておらず、当該アラインメントマーク１２４は、第１ベルト部材１３０によってその中央部分が再び覆われるようになる。
【０１２４】
このように構成した場合にも、アラインメントマーク１２４が窓部１３４ｃを介して視認可能となるように第１ベルト部材１３０に加える引っ張り力を調節しながら生体インピーダンス測定用腹部装着ユニット１１０Ｂを装着することにより、装着の度毎に生体インピーダンス測定用腹部装着ユニット１１０Ｂの巻き付け強さを一定の強さに安定的に保つことができるようになる。
【０１２５】
なお、本変形例においては、第１ベルト部材１３０に設けられる窓部１３４ｃを矩形状の穴にて構成した場合を例示して説明を行なったが、窓部１３４ｃの形状はこのようなものに限定されるものではなく、どのような形状のものを採用してもよい。
【０１２６】
（実施の形態３）
図１１は、本発明の実施の形態３における生体インピーダンス測定用腹部装着ユニットの構成を示す図であり、当該生体インピーダンス測定用腹部装着ユニットを被験者の腹部に装着した状態を示す模式断面図である。なお、本実施の形態における生体インピーダンス測定用腹部装着ユニット１１０Ｃは、上述の本発明の実施の形態１における生体インピーダンス測定用腹部装着ユニット１１０Ａと固定手段の構成が異なる以外は同様の構成を有している。したがって、上述の本発明の実施の形態１における生体インピーダンス測定用腹部装着ユニット１１０Ａと同一または相当の部分については図中同一の符号を付し、その説明はここでは繰り返さない。
【０１２７】
図１１に示すように、本実施の形態における生体インピーダンス測定用腹部装着ユニット１１０Ｃは、上述の本発明の実施の形態１における生体インピーダンス測定用腹部装着ユニット１１０Ａにおいて用いられていた固定手段としての面ファスナ１３３，１３８（図４および図５参照）に代えて、第１ベルト部材１３０の他端部１３２に設けられた鈎状のフック部１４１と、第２ベルト部材１３５の他端部１３７に長尺方向に整列して設けられた複数のループ状の係止部１４２とを固定手段として有している。複数のループ状の係止部１４２の各々は、いずれも上記鈎状のフック部１４１を受け入れ可能であり、装着に際しては、これら複数のループ状の係止部１４２のうちから選択された１のループ状の係止部に上記鈎状のフック部１４１が引っ掛けられることによって第１ベルト部材１３０と第２ベルト部材１３５が被験者３００の腹部３０１に巻き付け固定される。その際、選択されるループ状の係止部は、第１ベルト部材１３０に設けられたマーク１３４ａが最適荷重状態を指し示す状態となる位置のものが選択される。
【０１２８】
このように構成することにより、上述の鈎状のフック部１４１と複数のループ状の係止部１４２から選択された１のループ状の係止部とによって、装着状態において被験者３００の腹部３０１に巻き付けられる帯状部材の巻き付け長さを任意の長さに維持することができる。したがって、本実施の形態の如くの生体インピーダンス測定用腹部装着ユニット１１０Ｃとした場合にも、上述の本発明の実施の形態１における生体インピーダンス測定用腹部装着ユニット１１０Ａとした場合と同様に、伸縮性を有する第１ベルト部材１３０の長尺方向における引張状態を示すマーク１３４ａの形状を確認しつつ帯状部材の腹部３０１への巻き付け長さを調節して生体インピーダンス測定用腹部装着ユニット１１０Ｃを装着することが可能になり、装着の度毎に生体インピーダンス測定用腹部装着ユニット１１０Ｃの巻き付け強さを一定の強さに安定的に保つことができるようになる。
【０１２９】
以上において説明した本発明の実施の形態１ないし３およびその変形例においては、電極が被験者の腹部背面に接触配置される場合を例示して説明を行なったが、電極が被験者の腹部前面や脇腹（側腹）に接触配置されるように構成された生体インピーダンス測定用腹部装着ユニットにも本発明を適用することは可能である。
【０１３０】
また、上述した本発明の実施の形態１ないし３およびその変形例においては、測定時において被験者が仰臥位をとることが企図された体脂肪測定装置に含まれる生体インピーダンス測定用腹部装着ユニットに本発明を適用した場合を例示して説明を行なったが、被験者が伏臥位や横臥位、立位、座位など、仰臥位以外の姿勢をとることが企図された体脂肪測定装置に含まれる生体インピーダンス測定用腹部装着ユニットに本発明を適用することも当然に可能である。
【０１３１】
さらには、上述した本発明の実施の形態１ないし３およびその変形例においては、被験者の腹部に装着される生体インピーダンス測定用腹部装着ユニットに本発明を適用した場合を例示して説明を行なったが、他にも被験者の上肢に装着されることが企図された生体インピーダンス測定用上肢装着ユニットや被験者の下肢に装着されることが企図された生体インピーダンス測定用下肢装着ユニットに本発明を適用することも可能である。
【０１３２】
このように、今回開示した上記各実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【０１３３】
【図１】体脂肪測定装置の機能ブロックの一例を示す図である。
【図２】体脂肪測定装置を用いて内臓脂肪面積、皮下脂肪面積および体脂肪率を測定する際の体脂肪測定装置の動作手順を定めたフローチャートである。
【図３】本発明の実施の形態１における生体インピーダンス測定用腹部装着ユニットを含む体脂肪測定装置の構成を示す図であり、体脂肪測定装置に含まれる各装着ユニットを被験者に装着した状態を示す斜視図である。
【図４】本発明の実施の形態１における生体インピーダンス測定用腹部装着ユニットの構成を示す斜視図である。
【図５】本発明の実施の形態１における生体インピーダンス測定用腹部装着ユニットを被験者の腹部に装着した状態を示す模式断面図である。
【図６】本発明の実施の形態１における生体インピーダンス測定用腹部装着ユニットに設けられたマークの形状の変化を説明するための模式図である。
【図７】引張状態を示すマークの他の例を示す図である。
【図８】本発明の実施の形態２における生体インピーダンス測定用腹部装着ユニットの構成を示す斜視図である。
【図９】本発明の実施の形態２における生体インピーダンス測定用腹部装着ユニットに設けられたアライメントマークの位置の変化を説明するための模式図である。
【図１０】本発明の実施の形態２における生体インピーダンス測定用腹部装着ユニットに設けられる指標の変形例を示す模式図である。
【図１１】本発明の実施の形態３における生体インピーダンス測定用腹部装着ユニットの構成を示す図であり、当該生体インピーダンス測定用腹部装着ユニットを被験者の腹部に装着した状態を示す模式断面図である。
【符号の説明】
【０１３４】
１  体脂肪測定装置、１０  制御部、１１  演算処理部、１２  インピーダンス算出部、１３  各種脂肪量算出部、１４  体脂肪量算出部、１５  部位別脂肪量算出部、１６  内臓脂肪量算出部、１７  皮下脂肪量算出部、２１  定電流生成部、２２  端子切替部、２３  電位差検出部、２４  体格情報計測部、２５  被験者情報入力部、２６  表示部、２７  操作部、２８  電源部、２９  メモリ部、１１０Ａ〜１１０Ｃ  生体インピーダンス測定用腹部装着ユニット、１２０  電極支持部材、１２２  電極、１２３  延長部、１２４  アラインメントマーク、１２６  コネクタ、１３０  第１ベルト部材、１３１  一端部、１３２  他端部、１３３  面ファスナ、１３４ａ  マーク、１３４ｂ  アラインメントマーク、１３４ｃ  窓部、１３５  第２ベルト部材、１３６  一端部、１３７  他端部、１３８  面ファスナ、１４１  フック部、１４２  係止部、１６０  装置本体、１７２Ａ，１７２Ｂ  生体インピーダンス測定用上肢装着ユニット、１７３Ａ，１７３Ｂ  生体インピーダンス測定用下肢装着ユニット、１８０  接続ケーブル、３００  被験者、３０１  腹部、３０２Ａ，３０２Ｂ  手首、３０３Ａ，３０３Ｂ  足首、４００  ベッド面、Ａ１１，Ａ１２，Ａ２１，Ａ２２  腹部電極、Ｆ１１，Ｆ１２，Ｆ２１，Ｆ２２  下肢電極、Ｈ１１，Ｈ１２，Ｈ２１，Ｈ２２  上肢電極。
【図１】
2008228996.tif 000003
【図２】
2008228996.tif 000004
【図３】
2008228996.tif 000005
【図４】
2008228996.tif 000006
【図５】
2008228996.tif 000007
【図６】
2008228996.tif 000008
【図７】
2008228996.tif 000009
【図８】
2008228996.tif 000010
【図９】
2008228996.tif 000011
【図１０】
2008228996.tif 000012
【図１１】
2008228996.tif 000013